(57)【要約】【課題】  小型化、薄型化を図ることができる光ディスクビデオカメラを提供すること。【解決手段】  光ディスク５面に平行な投影面においてシークモータ１２を光ヘッド１０に対してカメラレンズ２と反対側に配置し、さらにレーザダイオード１８とホルダ２７を対物レンズ２４に対してカメラレンズ２と反対側に配置した光ヘッド１０を、カメラレンズ２の中心軸と平行かつ光ディスク５に垂直な投影面においてカメラレンズ２と一部が重なるように配置する。【選択図】  図１
2006140751.tif 000002
【特許請求の範囲】
【請求項１】
撮影する映像情報を取り込むカメラレンズ部と、
前記カメラレンズ部で取り込まれた映像情報を光ディスクに記録する光ディスク装置と、を有し、
前記光ディスク装置は、光ヘッドを有し、
前記光ディスク面と垂直で、かつ、前記カメラレンズ部の中心軸と平行な面へ、前記カメラレンズ部を投影したものと前記光ヘッドを投影したものとが一部重なるよう配置することを特徴とする光ディスクビデオカメラ。
【請求項２】
光ディスクビデオカメラの高さが前記光ディスクの直径より１０ｍｍを越えないことを特徴とする請求項１に記載の光ディスクビデオカメラ
【請求項３】
前記光ディスクの直径が８０ｍｍであることを特徴とする請求項２に記載の光ディスクビデオカメラ。
【請求項４】
撮影する映像情報を取り込むカメラレンズ部と、
前記カメラレンズ部で取り込まれた映像情報を光ディスクに記録する光ディスク装置と、を有し、
前記光ディスク装置は、光ヘッドと、前記光ヘッドを前記カメラレンズ部の中心軸と平行な方向に移動させるよう案内するガイドバーと、を有し、
前記光ディスク面と平行な面へ、前記カメラレンズ部を投影したものと前記ガイドバーを投影したものとが重ならないように配置することを特徴とする請求項１に記載の光ディスクビデオカメラ。
【請求項５】
撮影する映像情報を取り込むカメラレンズ部と、
前記カメラレンズ部で取り込まれた映像情報を光ディスクに記録する光ディスク装置と、を有し、
前記カメラレンズ部は、レンズと前記レンズを移動させるためのモータを有し、
前記光ディスク装置は、光ヘッドと、前記光ヘッドを前記カメラレンズ部の中心軸と平行な方向に移動させるよう案内するガイドバーと、を有し、
前記光ディスク面と平行な面へ、前記モータを投影したものと前記ガイドバーを投影したものが重なるように配置することを特徴とする請求項１に記載の光ディスクビデオカメラ。
【請求項６】
前記光ディスク装置は、前記光ヘッドを前記光ディスクを駆動する駆動部を備え、
前記光ディスク面と平行な面へ、前記駆動部、前記光ヘッド及び前記カメラレンズを投影した場合、前記駆動部を投影したものが、前記光ヘッドを投影したものに対して前記カメラレンズ部を投影したものと反対側に配置することを特徴とする請求項１に記載の光ディスクビデオカメラ。
【請求項７】
前記光ヘッドは、レーザ光を出射するレーザダイオードと、
前記光ディスクに前記レーザ光を集光する対物レンズと、
前記対物レンズを保持するレンズホルダと、
第１の端部と第２の端部を有しており前記第１の端部で前記レンズホルダを支持する支持部材と、
前記支持部材の前記第２の端部を保持するホルダと、を備え、
前記光ディスク面と平行な面へ、前記レーザダイオード、前記ホルダ、前記対物レンズ及び前記カメラレンズを投影した場合、前記レーザダイオードを投影したものと前記ホルダを投影したものが、前記対物レンズを投影したものに対して前記カメラレンズを投影したものと反対側に配置することを特徴とする請求項１に記載の光ディスクビデオカメラ。
【請求項８】
撮影する映像情報を取り込むカメラレンズ部と、
前記カメラレンズ部で取り込まれた映像情報をディスクに記録するディスク装置と、を有し、
前記ディスク装置は、記録ヘッドを有し、
前記ディスク面と垂直で、かつ、前記カメラレンズ部の中心軸と平行な面へ、前記カメラレンズ部を投影したものと前記記録ヘッドを投影したものとが一部重なるよう配置することを特徴とするディスクビデオカメラ。
【発明の詳細な説明】
【技術分野】
【０００１】
本発明はビデオカメラに関し、特にディスクを記録媒体として使用するディスクビデオカメラに関する。
【背景技術】
【０００２】
ディスク装置に係る本願発明に関連する背景技術として、特許文献１がある。この特許文献１には、以下の具体的な記載がある。「小型の光ディスク装置及び電子機器を提供する事を目的」（特許文献１の要約の目的）とし、「レンズユニット２１２に移動自在にレンズホルダ２１８を設けるとともに、レンズホルダ２１８とレンズユニット２１２をサスペンション２２９，２３０，２３１，２３２で連結するとともに、光ピックアップパッケージ２４２をレンズユニット２１２のサスペンション２２９，２３０，２３１，２３２が設けられた根本部に取り付けた」（特許文献１の要約の構成、図１、図２、図３）。
【０００３】
【特許文献１】特開平８−３３９５４６号公報
【発明の開示】
【発明が解決しようとする課題】
【０００４】
しかしながら、特許文献１には、光ディスク装置単体に係る発明が記載されており、光ディスク装置を記録装置として用いたビデオカメラについての記載がない。本願発明は、ディスク装置を記録装置として用いたビデオカメラにおいて、全体を小型化したビデオカメラを提供することを目的とする。
【課題を解決するための手段】
【０００５】
上記目的は、特許請求の範囲に記載の発明により解決される。
【発明の効果】
【０００６】
本願発明によれば、ビデオカメラの小型化を図ることができる。
【発明を実施するための最良の形態】
【０００７】
以下、図面を用いて本願発明の実施例を説明する。
【実施例１】
【０００８】
以下、図面の説明において、Ｘ、Ｙ、Ｚ方向を、説明の便宜のため、必要に応じて使用する。この方向は本明細書を通じて共通である。また、必要に応じてＸ矢印方向を後ろ、その反対方向を前、Ｚ矢印方向を上、その反対方向を下、Ｙ軸方向を横と表現する。
【０００９】
図1は、本発明の実施例である光ディスクビデオカメラの撮影状態における側面図、図２は正面図（Ｘ方向に向かって見た図）、図3は平面図（Ｚ方向から見た図）を示す。
【００１０】
図１、図２、図３において、カメラ筐体１は光ディスクビデオカメラの構成部品を収納する。カメラレンズ２は、撮影する映像情報を取り込む。ビューファインダ３、液晶モニタ７には、使用者が撮影しようとする映像情報を確認できるように、その映像情報を表示する。光ディスク装置４は、カメラレンズ２で取り込んだ映像情報を光ディスク５に記録する。カメラ回路基板６には、映像情報を光ディスク装置４で記録可能な信号に変換する回路が実装されている。シャーシ８は、光ディスク装置４を構成する構成部品を収納し、ダンパゴム３４を介してフレーム３５に固定されている。スピンドルモータ９は、光ディスク５を回転する。光ヘッド１０は、映像情報を光ディスク５に記録するために、光ディスク５にレーザ光を照射する。光ヘッド１０は、シークモータ１２の動力がリードスクリュー１４、ラック１５を介して伝達されることで、ガイドバー１１によって案内される方向に駆動される。回路基板１３には、光ディスク装置４を制御する回路が実装されている。フレキシブルケーブル１６は、光ヘッド１０と回路基板１３とを接続するケーブルである。
【００１１】
カメラ筐体１の内部には、カメラレンズ２とビューファインダ３がＸ軸上に並んで配置されている。そして、カメラレンズ２とビューファインダ３は、ともに光ディスク装置４の横（Ｙ軸上）に並んで配置されている。カメラレンズ２とビューファインダ３は、撮影時の取扱い易さの点から一般的にカメラ筐体１のＺ方向の上部に、Ｘ方向にほぼ同軸上に配置されることが多い。従って、カメラ回路基板６と液晶モニタ7は、カメラレンズ２とビューファインダ３の下部に配置される。フレーム３５はカメラ筐体1内部に固定されており、カメラレンズ２、カメラ回路基板６、光ディスク装置４はそれぞれフレーム３５に固定して配置される。さらに使用時にカメラ筐体１から光ディスク装置４に伝わる振動や衝撃を低減するために光ディスク装置４はダンパゴム３４を介してフレーム３５に固定されている。ビューファインダ３はカメラ筐体１に直接固定されている。カメラレンズ２はズームレンズであり、所定の露出を確保する必要から大幅な小型化はできず、３０ｍｍ前後の直径とそれ以上の長さの空間を占有する。ビューファインダ３もカメラレンズ２と同程度の大きさである。ただし、技術進歩により、また、目的に応じてより小型のカメラレンズ２及びビューファインダ３を用いても良いことは言うまでもない。
【００１２】
光ディスク装置４では、光ディスク５に撮影した映像情報を記録する。具体的には、スピンドルモータ９に取り付けられて回転している光ディスク５に対して、回路基板１３とフレキシブルケーブル１６によって電気的に接続された光ヘッド１０によってレーザ光を照射することで映像情報の記録を行う。
【００１３】
ここで、本実施例の光ヘッド１０は、２本のガイドバー１１ａ、１１ｂの間隔Ｌ１を４０ｍｍ程度と狭くできるように小型化されている。
【００１４】
対物レンズ２４は、光ディスク５の半径方向を内外周に移動することが必要である。図１に図示したとおり、光ヘッド１０が光ディスク５の内外周に移動する場合に、光ディスクビデオカメラの高さ（Ｚ方向寸法）を最小に抑えるには、光ヘッド１０の移動方向をＸ方向と平行な方向にするのが好ましい。従って、対物レンズ２４の上下（Ｚ）方向の配置は、スピンドルモータ９の中心を通るＸ軸に平行な線上と決められる。また、カメラレンズ２の中心軸と平行なＸ軸と平行な方向に光ヘッドを移動させる方が望ましく、ガイドバー１１a、１１ｂは、そのような移動をさせるよう案内するものである。
【００１５】
２本のガイドバー１１ａ、１１ｂの間隔Ｌ１を狭くすることによって、シークモータ１２を光ヘッド１０に対して下側に配置しても、光ディスク中心からカメラ筐体１の底面までの高さを変える必要はなくなる。また、２本のガイドバー１１a、１１ｂの間隔Ｌ１を狭くすることによって、対物レンズ２４から上側のガイドバー１１ａまでの間隔も狭めることができるので、シャーシ８の大部分をスピンドルモータ９の外周上部と同じくらいの高さまで小さくすることができる。
【００１６】
このようにL1の幅を小さくすることによって、カメラ筐体１のＺ方向寸法を拡大することなく光ヘッド１０およびシャーシ８の上部にカメラレンズ２の一部を重ねて配置することが可能となり、カメラレンズ２は光ディスク５に大幅に近づけることができる。光ディスク５の取り付け取外しの際にカメラレンズ２に触れないようにするためにディスク５とカメラレンズ２との間に壁が必要となるが、本実施例では最大４ｍｍ程度まで近づけることが可能となる。なお、従来のビデオカメラでは、光ディスク５からカメラレンズ２まで約１５ｍｍ離れていた。
【００１７】
このような配置（Ｌ１の幅を小さくし、かつ、光ディスク５に平行な面へ投影した場合、シークモータ１２を投影したものをスピンドルモータ９を投影したものに対してカメラレンズ２を投影したものとは反対側に配置）とすることにより、カメラ筐体１の厚みＷ１を、５０ｍｍ程度にまで薄型化することができる。また、図２に示すように光ディスク面と平行な面へ投影した場合、カメラレンズ２を投影したものとガイドバー１１aを投影したものとを重ならないよう配置することができる。なお、L1の幅が従来のように大きい場合には、カメラレンズ２とガイドバー１１やリードスクリュー１４がＹ方向で重なるため、Ｗ１の幅が大きくなり、６０ｍｍ程度になってしまう。よって、本実施例のようにすれば、装置全体として小型化、薄型化を図ることができる。
【００１８】
なお、図２では、Ｙ方向において、ガイドバー１１ａやリードスクリュー１４をカメラレンズ２と重ならないように配置しているため、カメラレンズ２のあるＹ方向における厚みを薄くすることが可能となっている。
【００１９】
光ヘッド１０およびシャーシ８とカメラレンズ２がＺ軸方向に重なる部分は図３の斜線部３６に示されるが、重なる面積は、使用するカメラレンズ２の大きさや形状によって異なる。また光ヘッド１０はＸ軸方向に移動するので、その位置によっても重なる面積は変化する。なお、Ｘ軸方向が、カメラレンズ２の中心軸と平行な軸である。また、図３は光ディスク面と垂直で、かつ、カメラレンズ２の中心軸と平行な面へ投影した場合、カメラレンズ２を投影したものと光ヘッドを投影したが一部重なるよう配置していることも示している。
【００２０】
さらにカメラ筐体１のデザインからの要求によるカメラレンズ２のＺ方向、Ｘ方向の配置によっても重なる面積は変わってくる。重ねる面積を大きくすると厚みＷ１は小さくなるがカメラレンズ２のＺ方向の位置は従来例とほぼ同じになり、重ねる面積を小さくすると厚みＷ１はそれより大きくなるがカメラレンズ２のＺ方向の位置を下げることができる。本実施例ではカメラ筐体１の厚みＷ１が、光ディスク装置４とカメラ回路基板６、液晶モニタ７の重なっている部分で制限されているため、この部分の厚みに合わせてカメラレンズ２を重ねる面積を小さくしてカメラレンズ２のＺ方向の位置を下げることで、厚みを低減するとともにカメラレンズ２の部分でのカメラ筐体１の高さを低減する効果も得られている。
【００２１】
また、重ねる面積を大きくた場合でも、光ディスク５の直径（本実施例では８０ｍｍ）に対して１０ｍｍを超えない程度の高さに収めることが出来る。
【００２２】
シャーシ８とカメラレンズ２は重ならない場合もあるが、少なくとも光ヘッド１０とカメラレンズ２の一部を重ねて配置することで薄型化の効果を得ることが可能である。実施例ではカメラレンズ２とともにアダプタ３７と光ヘッド１０の一部が重なって、薄型化の効果が得られている。
【００２３】
ビューファインダ３についてもシークモータ１２が光ヘッド１０に対してカメラレンズ２と反対側に配置され、さらに回路基板１３とシャーシ８の小型化によって光ディスク装置４の上部に一部を重ねて配置することが可能となっており、カメラレンズ２と同様に光ディスク５に近づけることができている。
【００２４】
なお、回路基板１３の小型化は、部品実装密度の向上や小型部品の採用によって対応することができる。
【００２５】
図１〜図３とは異なるカメラレンズ２及びビデオカメラ装置全体の構成の一例を、図６から図８を用いて説明する。本例では、カメラレンズ２の特にモータ４２の配置をディスク装置との関係で工夫することで、図１〜図３で説明した実施例と異なり、カメラレンズ２の一部（モータ４２）と光ヘッド１０の一部を光ディスク面と平行な投影面において重なるようにしているため、ビデオカメラ全体としてさらなる小型化を図ることができたものである。図１〜図３にて説明した光ディスクビデオカメラと同様の機能をもつ構成要素には同じ数字を付与し、説明は省略する。
【００２６】
図６は、撮影状態における側面図、図７は正面図（Ｘ方向に向かって見た図）、図８は平面図（Ｚ方向から見た図）を示す。
【００２７】
カメラレンズ２は複数枚のレンズ４１から構成されており、またレンズ４１の周囲にはレンズ４１の一部を移動するためのモータ４２や絞り調整のためのモータ４２が配置されている。オートフォーカスやズームは、各々の機能に応じた箇所のレンズ４１をモータ４２で移動することで達成される。このようなモータ４２の配置を図７のようにカメラレンズのＺ方向およびＹ方向の矢印と反対側に配置すれば、カメラレンズ２のＺ方向の位置を上げずに光ヘッド１０と重ならせることができるので、さらにカメラ筐体１の小型化、薄型化に有効である。
【００２８】
また、本例においてもカメラ筐体１の厚みＷ１が、光ディスク装置４とカメラ回路基板６、液晶モニタ７の重なっている部分で制限されているため、この部分の厚みに合わせて本例のように光ピックヘッド１０とモータ４２の重なる面積を大きくし、カメラレンズ２のＺ方向の位置を下げることで、厚みを低減するとともにカメラレンズ２の部分でのカメラ筐体１の高さを低減する効果も得られている。
【００２９】
図４、図５を用いて上記実施例の光ディスクビデオカメラで使用する光ヘッド１０の構成を説明する。図３は光ヘッド１０の側面図、図５はそのＹＺ面中央断面図である。
【００３０】
ケース１７に取り付けられたレーザダイオード１８から出射したレーザ光１９は、偏光ビームスプリッタ２０を通過し、コリメートレンズ２１で平行光束となり、立上げミラー２２で反射して偏光回折格子２３を通過し、対物レンズ２４で光ディスク５上に焦点を結ぶ。光ディスク５からの反射光は、上述した経路とは逆の経路を通過し、偏光ビームスプリッタ２０で反射されて光検出器３０に到達する。光検出器３０の出力で光ディスク５の情報を再生するとともにレーザ光１９の焦点と光ディスク５の記録面との位置ずれ信号、および記録トラックとの位置ずれ信号を検出する。
【００３１】
光検出器３０の出力は光ヘッド基板３８を経由してフレキシブルケーブル１６に接続される。光ヘッド基板３８にはレーザダイオード１８の出力を制御するレーザドライバＩＣ３９とその放熱のためのカバー４０が設けられている。
【００３２】
偏光回折格子２３および対物レンズ２４は、レンズホルダ２５に搭載されており、レンズホルダ２５には４本のサスペンション２６のそれぞれ一端（第１の端部）が固定され、他端（第２の端部）はケース１７に固定されたホルダ２７に固定されている。またレンズホルダ２５には図示しないコイルが取り付けられており、ヨーク２８、マグネット２９と組み合わせてボイスコイルモータを形成している。上記構成は一般的に２次元アクチュエータと呼ばれており、コイルに電流を流すことで、サスペンション２６によって弾性的に支持されたレンズホルダ２５、レンズホルダ２５と一体の対物レンズ２４及び偏光回折格子２３が、光ディスク５の面に垂直な方向（Ｙ方向）と光ディスク５の半径方向（Ｘ方向）の２次元空間内で移動することができる。
【００３３】
上記二つの位置ずれ信号に基づいてレンズホルダ２５を前記２次元空間内で動かして光ディスク５の記録面上および記録トラック上にレーザ光１９の焦点を位置づけする。
【００３４】
ここで、光ヘッド１０は、光路を途中で折り曲げることにより光ヘッド１０を小型化している。そのため、半導体レーザ１８を、出射光がＺ方向ではなく、おおよそＸ方向を向く位置に配置し、ミラー３１を追加して半導体レーザ１８から出射されたＸ方向のレーザ光１９をコリメータレンズ２１の方向、すなわちＺ方向に折り曲げている。この構成により、対物レンズ２４からガイドバー１１ｂまでの間隔を狭めることが可能となった。
【００３５】
さらに、ホルダ２７を対物レンズ２４に対してカメラレンズ２と反対側のレーザ光１９の光路上に配置した点も小型化に貢献している。これによって対物レンズ２４からガイドバー１１ａまでの間隔を狭めることができた。
【００３６】
ただし、ホルダ２７の形状を切り欠き３３を設けずにホルダ２７を対物レンズ２４に対しカメラレンズ２と反対側に配置すると、コリメートレンズ２１と干渉し、またレーザ光１９の一部を遮ってしまう。光ヘッド１０の厚みを大きくせずにホルダ２７をカメラレンズ２の反対側に配置するために、ホルダ２７には新たにコリメートレンズ２１の逃げ部３２とレーザ光１９を通すための切り欠き３３を設け、コリメートレンズ２１と接触したりレーザ光１９を遮ったりすることがないようにしている。光ヘッド１０の厚みを大きくすることは、光ディスクビデオカメラの厚みを大きくすることにつながるため、この構成も光ディスクビデオカメラの薄型化に寄与している。
【００３７】
上記実施例はカメラレンズ２とビューファインダ３が撮影状態において上側に配置されている場合であるが、カメラレンズ２またはビューファインダ３が下側に配置される場合においては、上記実施例の逆の配置、すなわちシークモータ１２を光ヘッド１０の上側に配置しホルダ２７を対物レンズ２４に対して上側に配置することで同様の効果が得られる。
【００３８】
上記実施例では光ヘッド１０の移動機構にシークモータ１２を用いているが他の移動機構を用いてもよく、例えばモータとリードスクリュー間をギアで連結した構成でもよいし、リニアボイスコイルモータを用いてもよい。
【００３９】
上記実施例ではシークモータ１２とガイドバー１１ｂを別々に設けているが、シークモータ１２のリードスクリュー１４でガイドバー１１ｂを兼用してもよい。すなわちガイドバー１１ｂの代りにリードスクリュー１４を光ヘッド１０に貫通させてリードスクリュー１４にガイドバー１１ｂの役目を兼用させてもよい。その場合、半導体レーザ１８とコリメートレンズ２１の間にミラー３１を設けて対物レンズ２４からシークモータ１２側のガイドバー１１ｂまでの間隔を狭めなくても、カメラ筐体１の高さを大きくしないで光ヘッド１０をカメラレンズ２またはビューファインダ３の下に配置できる可能性がある。
【００４０】
上記実施例では光ディスク５に平行な投影面にて光ヘッド１０の位置がカメラレンズ２とＺ方向に並んで配置されているが、光ヘッド１０の位置をスピンドルモータ９に対してＸ方向に対象に移動してビューファインダ３とＺ方向に並ぶように配置しても良い。この場合にはビューファインダ３の一部を光ヘッド１０の一部と光ディスク５と垂直面上で重なるように配置することで上記実施例と同様に薄型化の効果が得られる。
【００４１】
以上、実施の形態で示した例を組合わせた例も本願発明の１実施例であることは言うまでもない。
【００４２】
以上の実施例では、ビデオカメラ全体を考慮してディスク装置やカメラレンズ２などの配置を行っているため、ビデオカメラの小型化、特に薄型化を図ることができる。
【００４３】
また、以上の実施例は、特にＤＶＤ規格に準拠した光ディスクを記録媒体として用いた場合に有効なものである。
【００４４】
また、光ディスク装置だけでなく、磁気ディスク装置などを記録装置として用いた場合でも以上の実施例を適用できる。
【図面の簡単な説明】
【００４５】
【図１】本発明の実施例である光ディスクビデオカメラの側面図。
【図２】本発明の実施例である光ディスクビデオカメラの正面図。
【図３】本発明の実施例である光ディスクビデオカメラの平面図。
【図４】本発明の実施例における光ヘッドの側面図。
【図５】本発明の実施例における光ヘッドの断面図。
【図６】本発明の実施例である光ディスクビデオカメラの側面図。
【図７】本発明の実施例である光ディスクビデオカメラの正面図。
【図８】本発明の実施例である光ディスクビデオカメラの平面図。
【符号の説明】
【００４６】
１…カメラ筐体、２…カメラレンズ、３…ビューファインダ、４…光ディスク装置、５…光ディスク、６…カメラ回路基板、７…液晶モニタ、８…シャーシ、９…スピンドルモータ、１０…光ヘッド、１１…ガイドバー、１２…シークモータ、１３…回路基板、１４…リードスクリュー、１５…ラック、１６…フレキシブルケーブル、１７…ケース、１８…レーザダイオード、１９…レーザ光、２０…偏光ビームスプリッタ、２１…コリメートレンズ、２２…立上げミラー、２３…偏光回折格子、２４…対物レンズ、２５…レンズホルダ、２６…サスペンション、２７…ホルダ、２８…ヨーク、２９…マグネット、３０…光検出器、３１…ミラー、３２…逃げ部、３３…切り欠き、３４…ダンパゴム、３５…フレーム、３６…斜線部、３７…アダプタ、３８…光ヘッド基板、３９…レーザドライバＩＣ、４０…カバー、４１…レンズ、４２…モータ。
【図１】
2006140751.tif 000003
【図２】
2006140751.tif 000004
【図３】
2006140751.tif 000005
【図４】
2006140751.tif 000006
【図５】
2006140751.tif 000007
【図６】
2006140751.tif 000008
【図７】
2006140751.tif 000009
【図８】
2006140751.tif 000010